(57)【要約】【課題】半永久的にドレンパンの殺菌を継続できると共に、どのような設置環境、菌の繁殖環境においてもドレンパンの殺菌効果を発揮してドレンポンプの詰まりを解消することができる空気調和機を提供する。【解決手段】この発明に係る空気調和機は、熱交換器７と、熱交換器７から発生する凝縮水を受けるドレンパン５と、ドレンパン５に溜まったドレン水６を排出するドレンポンプ４を備えた空気調和機において、ドレンパン５内に設置され、以下の要素を含む殺菌装置１を備えたことを特徴とする。（１）高電圧電極２ａと、高電圧電極２ａと所定の間隙を設けて対向配置される接地電極２ｂとを対とする少なくとも一対以上の放電電極２；（２）放電電極２に高電圧パルスを印加する高電圧電源３。【選択図】図５
2010007906.tif 000002
【特許請求の範囲】
【請求項１】
熱交換器と、熱交換器から発生する凝縮水を受けるドレンパンと、ドレンパンに溜まったドレン水を排出するドレンポンプを備えた空気調和機において、
前記ドレンパン内に設置され、以下の要素を含む殺菌装置を備えたことを特徴とする空気調和機。
（１）高電圧電極と、前記高電圧電極と所定の間隙を設けて対向配置される接地電極とを対とする少なくとも一対以上の放電電極；
（２）前記放電電極に高電圧パルスを印加する高電圧電源。
【請求項２】
前記放電電極を前記ドレンポンプの近傍に設けると共に、少なくとも前記放電電極の先端部が前記ドレン水に漬かるように設置することを特徴とする請求項１記載の空気調和機。
【請求項３】
前記放電電極を前記ドレンポンプに固定することを特徴とする請求項１又は請求項２記載の空気調和機。
【請求項４】
外郭板金を有する筐体を備え、前記筐体に取り付け穴を開口し、電極設置部材で支持された前記放電電極を前記筐体の前記取り付け穴から、当該空気調和機の据付後に後付けで取り付けられるようにしたことを特徴とする請求項１乃至３のいずれかに記載の空気調和機。
【請求項５】
前記電極設置部材を前記筐体にネジ等により固定することを特徴とする請求項４記載の空気調和機。
【請求項６】
前記放電電極は、その先端部が前記ドレン水に浸漬するように、少なくとも前記放電電極の先端部が、前記ドレンポンプの吸込口よりも下方に設置されていることを特徴とする請求項１乃至５のいずれかに記載の空気調和機。
【請求項７】
当該空気調和機の制御を行う制御部を備え、前記制御部は、冷房運転または除湿運転時に、断続的に前記殺菌装置を動作させることを特徴とする請求項１乃至６のいずれかに記載の空気調和機。
【請求項８】
冷房運転または除湿運転時間に対する前記殺菌装置の動作時間の比率が５０％以上となるように、前記殺菌装置を動作させることを特徴とする請求項７記載の空気調和機。
【請求項９】
当該空気調和機の制御を行う制御部を備え、前記制御部は、冷房運転または除湿運転停止後、一定時間連続して前記殺菌装置を動作させることを特徴とする請求項１乃至８のいずれかに記載の空気調和機。
【請求項１０】
当該空気調和機の制御を行う制御部を備えると共に、前記ドレン水の水位を検知するドレン水位センサーを設け、前記制御部は、前記ドレン水位センサーが一定水位を検知したときに前記殺菌装置を動作させることを特徴とする請求項１乃至６のいずれかに記載の空気調和機。
【請求項１１】
前記高電圧電極と前記接地電極は、モールド樹脂でモールド成型されていることを特徴とする請求項１乃至１０のいずれかに記載の空気調和機。
【請求項１２】
前記高電圧電極と前記接地電極は、前記モールド樹脂の一部に形成された係合部により前記ドレンポンプへ固定されることを特徴とする請求項１１記載の空気調和機。
【請求項１３】
前記高電圧電極と前記接地電極とは別体で構成されることを特徴とする請求項１乃至１２のいずれかに記載の空気調和機。
【請求項１４】
前記高電圧電極と前記接地電極とは一体で構成され、前記高電圧電極と前記接地電極の夫々の先端部は所定の沿面距離を確保した構成とすることを特徴とする請求項１乃至１２のいずれかに記載の空気調和機。
【発明の詳細な説明】
【技術分野】
【０００１】
この発明は、熱交換器と、熱交換器から発生する凝縮水を受けるドレンパンと、ドレンパンに溜まったドレン水を排出するドレンポンプとを備えた空気調和機（室内機）に関する。詳しくは、ドレンポンプの詰まりの原因となる菌やカビを、ドレン水中での放電によって殺菌することで、ドレンポンプの詰まりが生じないようにする技術に関する。
【背景技術】
【０００２】
低コストで導水路の抗菌・抗カビ対策を実現できる空調室内機を提供するために、室内熱交換器から滴下した水を前面側ドレンパン及び背面側ドレンパンで受けてドレン配管を介して機外に排水する導水路を備える空調室内機において、水に触れると抗菌・抗カビ成分が溶出する抗菌・抗カビ材を、前面側ドレンパンの底部に配置する空調室内機が提案されている（例えば、特許文献１参照）。
【特許文献１】特開２０００−７４４０９号公報
【発明の開示】
【発明が解決しようとする課題】
【０００３】
しかしながら、上記特許文献１等に記載された従来のドレンパン抗菌技術では、抗菌剤の容量が初期的に決まっているため、初期の抗菌剤の容量を溶出した後は抗菌効果を失い、ドレンパン内に菌が繁殖することで、ドレンポンプを詰まらせるという課題があった。
【０００４】
また、抗菌剤はドレンパン内に存在する菌すべてに効果があるわけでなく、元々効果が無い菌が存在したり、時間が経過すると抗菌剤に耐性を持った菌が発生するという課題もあった。
【０００５】
この発明は、上記のような課題を解決するためになされたもので、半永久的にドレンパンの殺菌を継続できると共に、どのような設置環境、菌の繁殖環境においてもドレンパンの殺菌効果を発揮してドレンポンプの詰まりを解消することができる空気調和機を提供する。
【課題を解決するための手段】
【０００６】
この発明に係る空気調和機は、熱交換器と、熱交換器から発生する凝縮水を受けるドレンパンと、ドレンパンに溜まったドレン水を排出するドレンポンプを備えた空気調和機において、
前記ドレンパン内に設置され、以下の要素を含む殺菌装置を備えたことを特徴とする。
（１）高電圧電極と、前記高電圧電極と所定の間隙を設けて対向配置される接地電極とを対とする少なくとも一対以上の放電電極；
（２）前記放電電極に高電圧パルスを印加する高電圧電源。
【発明の効果】
【０００７】
この発明の空気調和機は、ドレンパン内に殺菌装置を設置した構成にしたので、放電によりドレン水内の細菌やカビを死滅させることができ、細菌やカビの粘性によって引き起こされるドレンポンプ詰まりを解消する効果を有する。また、殺菌装置は、放電の効果を利用するので、放電を能動的に制御することで、持続的にドレンパン内への菌の繁殖を抑制することができるとともに、菌の種類も選ばないという効果を有する。
【発明を実施するための最良の形態】
【０００８】
実施の形態１．
先ず、本実施の形態における空気調和機の定義を説明する。本実施の形態における空気調和機は、熱交換器と、熱交換器から発生する凝縮水を受けるドレンパンと、ドレンパンに溜まったドレン水を排出するドレンポンプとを備えた空気調和機である。具体的には、天井埋込型空気調和機（化粧パネルを有し該化粧パネルが室内に露出するタイプ、本体全体が天井裏に設置されるタイプがある）、オプションとしてドレンポンプが取り付けられる天吊型空気調和機及び壁掛け型空気調和機等である。
【０００９】
本実施の形態では、天井埋込型空気調和機（化粧パネルを有し該化粧パネルが室内に露出するタイプ）を例に以下の説明を行う。
【００１０】
図１乃至図９は実施の形態１を示す図で、図１は天井埋込型空気調和機１００（室内機）を部屋４５の天井に取り付けた状態を部屋４５から見た斜視図、図２は天井埋込型空気調和機１００の横断面図、図３は天井埋込型空気調和機１００におけるドレンポンプ４等の配置を示す概念図、図４は天井埋込型空気調和機１００の縦断面図、図５は殺菌装置１を設けたドレンパン５の内部構成を示す構成図、図６はドレンポンプ４及び放電電極２等の筐体２０への固定方法を示す図、図７はドレンポンプ４に放電電極２等が取り付けられた状態を示す斜視図、図８は殺菌装置１を示す概略構成図、図９は高電圧電極２ａの形状を示す外観図である。
【００１１】
図１乃至図４を参照しながら天井埋込型空気調和機１００の一例の構成を説明する。
【００１２】
図１に示すように、天井埋込型空気調和機１００（室内機）は、部屋４５の天井に、天井埋込型空気調和機１００の下部に設けられた略四角形状の化粧パネル４７が見える状態で埋設されている。化粧パネル４７の中央付近には天井埋込型空気調和機１００への空気の吸込口へ連通する略四角形のグリル３８（吸込口）と、筐体２０の各辺（四辺）に沿って形成された本体吹出口４０（図４参照）と連通する吹出口４８（四個）を有し、さらに各吹出口４８には吹き出し風の風向を制御するベーン４９を備える。
【００１３】
図２に示すように、筐体２０も化粧パネル４７と同様断面形状が略四角形である。筐体２０の各辺（四辺）に沿って本体吹出口４０が形成されている。筐体２０の略中央部に送風機３０が設置される。送風機３０を囲むように略環状に熱交換器７（略Ｃ字形状）が配置される。
【００１４】
また、断面形状が略四角形の筐体２０の一隅にドレンポンプ４が配置される。ドレンポンプ４は、熱交換器７から発生する凝縮水を受けるドレンパン５に溜まったドレン水を筐体２０外へ排出する。
【００１５】
図３に示すように、筐体２０の一隅にドレンポンプ４が配置され、ドレンポンプ４の近傍に殺菌装置（後述）を構成する放電電極２が設けられる。
【００１６】
また、殺菌装置を構成する放電電極２に高電圧パルスを印加する高電圧電源３（後述）を実装した基板１４が筐体２０に設けられる。
【００１７】
図４に示すように、筐体２０内の略中央部に、下側を吸込口とするファン３０ａ（ターボファン）と、このファン３０ａを駆動するファンモータ３０ｂとを備える送風機３０（遠心送風機）が配置される。
【００１８】
ファンモータ３０ｂが、筐体２０の天面側に取り付けられているとともに、ファン３０ａの下部に、ファン３０ａへ空気を導入するためのベルマウス５０が配置されている。
【００１９】
また、ファン３０ａを囲むように略環状に熱交換器７（略Ｃ字形状）が配置され、熱交換器７の下部にドレンパン５が設置されている。熱交換器７は、図示しない室外機の冷媒を圧縮する圧縮機等とともに冷凍サイクルを構成する。熱交換器７では、ファン３０ａによりグリル３８から吸い込まれる室内の空気と冷凍サイクルの冷媒とが熱交換を行い冷風又は温風を生成する。
【００２０】
ドレンパン５の各辺に沿う外側には、熱交換器７の２次側と室内とを連通させる本体吹出口４０があり、化粧パネル４７の吹出口４８と連通している。
【００２１】
吹出口４８にはベーン４９が取り付けられ、熱交換器７で生成された冷風又は温風空気の吹出方向の調整が可能となっている。ベーン４９の形状は、吹出口４８と略同形状であり、ベーン４９が閉じた状態で吹出口４８を略塞ぐ意匠性を考慮した設計になっている。
【００２２】
化粧パネル４７の略中央の開口部に、略四角形のグリル３８が取り付けられている。グリル３８は、例えば爪等により化粧パネル４７に係合している。
【００２３】
図５は殺菌装置１を設けたドレンパン５の内部構成を示す構成図である。天井埋込型空気調和機１００の冷房運転時又は除湿運転時には、熱交換器７が熱交換する室内空気よりも温度が低くなるため、熱交換器７の表面に凝縮水が生成する。ここでは、凝縮水をドレン水６と呼ぶ。
【００２４】
ドレン水６はドレンパン５に貯留され、ドレンポンプ４によって筐体２０外に排水される。
【００２５】
殺菌装置１は、ドレン水６を貯留するドレンパン５内に設置され、絶縁体（樹脂）で被覆された高電圧電極２ａと所定の間隙を設けて対向配置される接地電極２ｂとを対とする放電電極２と、放電電極２に高電圧パルスを印加する高電圧電源３とを備える。放電電極２は、少なくとも一対以上設けられる。
【００２６】
放電電極２は、その先端部がドレン水６に浸漬するように、少なくとも放電電極２の先端部が、ドレンポンプ４の吸込口４ａよりも下方に設置されている。
【００２７】
また、ドレンパン５には、ドレン水６の水位を検知するドレン水位センサー８が装備されている。
【００２８】
図６はドレンポンプ４及び放電電極２等の筐体２０への固定方法を示す図である。図６に示すように、外郭板金９と断熱材１０を備える筐体２０内に、熱交換器７、ドレンパン５が設置される。ドレンポンプ４は、ドレンポンプ４を筐体２０に取り付けるドレンポンプ取り付け部材１１で筐体２０（例えば、筐体２０の天面）に固定される。
【００２９】
高電圧電極２ａと所定の間隙を設けて対向配置される接地電極２ｂとを対とする放電電極２は、ドレンポンプ４の吸込口４ａと相対的な高さ関係を保つために（放電電極２は、その先端部がドレン水６に浸漬するように、少なくとも放電電極２の先端部が、ドレンポンプ４の吸込口４ａよりも下方に設置される）、ドレンポンプ４に一体化された電極取り付け部材１２を介して設置されている。
【００３０】
図７はドレンポンプ４に放電電極２等が取り付けられた状態を示す斜視図である。ドレンポンプ４にドレンポンプ取り付け部材１１が固定されている。ドレンポンプ取り付け部材１１は、ドレンポンプ取り付け部材１１の切り欠き１１ａを利用して、ネジ等を用いて筐体２０（例えば、筐体２０の天面）に固定される。
【００３１】
高電圧電極２ａと所定の間隙を設けて対向配置される接地電極２ｂとを対とする放電電極２は、電極取り付け部材１２にネジ等を用いて固定される。そして、電極取り付け部材１２は、ネジ等を用いてドレンポンプ取り付け部材１１に固定される。
【００３２】
また、ドレン水６の水位を検知するドレン水位センサー８がドレンポンプ取り付け部材１１に固定される。
【００３３】
図８に示すように、殺菌装置１は、高電圧電極２ａと接地電極２ｂとを対とする放電電極２が、高電圧パルスを発生する高電圧電源３に接続された構成となっている。
【００３４】
高電圧電極２ａは、高電圧電源３から高耐圧電線２ａ−３を介して電極２ａ−１に接続される構成である。電極２ａ−１の周囲は高耐圧電線２ａ−３との接続部も含めて、モールド樹脂２ａ−２によってモールド成型されている。
【００３５】
電極２ａ−１の材質は水中環境で使用するため、腐食性に優れた金属が望ましく、例えば、チタン、タングステンなどが適している。電極２ａ−１の太さは、略０．２ｍｍ程度である。
【００３６】
モールド樹脂２ａ−２の材質としては、耐電圧、耐湿、耐熱に優れた樹脂が好適で、例えばエポキシなどの熱硬化樹脂がよい。
【００３７】
電極２ａ−１は、例えば、先端部が水中に露出するが、モールド樹脂２ａ−２から突出していない。例えば、高電圧電極２ａの放電側となる先端を切断し、その先端部を露出させる。モールド樹脂２ａ−２（絶縁体）により高電圧電極２ａの側面全体を覆うことにより、先端部において放電が起こる構造である。放電電極２に負極性の高電圧パルスを印加すると、高電圧電極２ａと接地電極２ｂ間に発生する電気力線は、高電圧電極２ａの先端部が突起ではなく平面であるため、電気力線は放射状への拡がりを抑え、高電圧電極２ａから、接地電極２ｂに向かって垂直な方向に流れる。また、高電圧電極２ａの側面はモールド樹脂２ａ−２ですべて覆われており、高電圧電極２ａの先端部の端面と、モールド樹脂２ａ−２の先端部の端面とが同一の面になっているため、高電圧電極２ａの先端部が放電に寄与する。また、放電極性を負とすることで、高電圧電極２ａの腐食も抑制することができる。高電圧電極２ａの腐食を抑制する構成であれば、高電圧パルスは正極性のもでもよい。
【００３８】
一方の接地電極２ｂも高電圧電極２ａとほぼ同じ構成をとる。即ち、高電圧電源３から電線２ｂ−３を介して電極２ｂ−１に接続される構成である。電極２ｂ−１の周囲は高耐圧電線２ｂ−３との接続部も含めて、モールド樹脂２ｂ−２によってモールド成型されている。電極２ｂ−１の太さは、約１．０ｍｍ程度である。
【００３９】
電極２ｂ−１は、例えば、先端部が水中に露出する。先端部がモールド樹脂２ｂ−２より数ミリ突出する。
【００４０】
接地電極２ｂは、高電圧電極２ａほど高い電圧がかからないので、電線２ｂ−３は高耐圧用でなくてもよい。しかし、電極の腐食性や、モールド樹脂２ｂ−２の耐湿性は高電圧電極２ａと同等である必要があるので、電極２ｂ−１の材質、モールド樹脂２ｂ−２の材質は高電圧電極２ａと同じ材質で構成する。
【００４１】
図９は高電圧電極２ａの形状を示す外観図である。接地電極２ｂも同じである。
【００４２】
高電圧電極２ａと接地電極２ｂは上記の通り、モールド樹脂２ａ−２，２ｂ−２でモールドされた構成であるが、図９に示すようにモールド樹脂２ａ−２の一部をボス形状や爪形状の係合部２ａ−４にすることで、電極取り付け部材１２（図６、図７）への取り付けを容易にし、他の取り付けのための部材を削減している。
【００４３】
次に、殺菌装置１の動作について説明する。
ドレンパン５内にドレン水６が貯留された上で、高電圧電源３により、高電圧電極２ａと接地電極２ｂとの間に、２〜５０ｋＶ／ｃｍ、１００Ｈｚ〜２０，０００Ｈｚの負極性の高電圧パルスを印加し、放電を行う。高電圧電極２ａの放電により絶縁破壊が生じ、そのエネルギーにより水が蒸発し、衝撃波とともに気化することにより水蒸気の気泡が発生する。
【００４４】
高電圧電極２ａ近傍で発生したこれらの気泡は、放電によって発生した電子などの帯電粒子の蓄積、水蒸発発生時の衝撃波、高電圧電極２ａと接地電極２ｂとの間で形成された電界による電子の移動、かつ気泡自体が負に帯電しているため、接地電極２ｂ側に引き寄せられる。そのため、高電圧電極２ａ側から接地電極２ｂ側に向かう気泡による噴流が発生する。
【００４５】
気泡により生じた高電圧電極２ａを起点とする噴流に伴って、ドレン水６に含まれる菌や微生物も一緒に高電圧電極２ａに向かって流れ込み、高電圧電極２ａの先端部でのプラズマにより、次々と効率よくこれらの微生物や菌が殺菌される。
【００４６】
殺菌装置１の特長をまとめると、以下の通りである。
（１）ドレン水６中で放電することにより、酸素の解離によるオゾンが発生しないので、オゾン臭がしない。
（２）ドレン水６中でのみ電気回路構成とすることにより、火災の危険性がない。
（３）原理的には殺菌装置１の効果は半永久的である。
（４）菌の種類によらず効果を発揮する。また、耐性菌を作らない。
【００４７】
天井埋込型空気調和機１００における殺菌装置１の使用方法について説明する。ドレン水６の殺菌だけを考えれば、長時間殺菌装置１を動作させることが望ましいが、長時間連続で動作させることは電気代の浪費となり、また、高電圧電源３を実装した基板１４の電子部品や放電電極２にも寿命が存在するので、効果的に必要な時間だけ殺菌装置１を動作させる必要がある。
【００４８】
殺菌装置１の動作時間は、天井埋込型空気調和機１００の運転と連動させて、基板１４に実装された制御部（所定の動作プログラムが組込まれたマイクロコンピュータ）によって制御される。
【００４９】
例えば、熱交換器７でドレン水６が発生する冷房運転モードまたは除湿運転モードの際には、断続的に殺菌装置１を動作させる。
【００５０】
冷房運転または除湿運転時間に対する殺菌装置１の動作時間の比率は菌の繁殖量によって決まるが、通常の天井埋込型空気調和機１００（室内機）においては、冷房運転または除湿運転時間の５０％以上殺菌装置１が動作していれば、放電による殺菌能力が菌の繁殖力を上回り、菌の増殖は起こり得ないので、冷房運転または除湿運転時間に対する殺菌装置１の動作時間の比率が５０％以上となるように、殺菌装置１を動作させる。
【００５１】
具体的には、熱交換器７でドレン水６が発生する冷房運転モードまたは除湿運転モードの際には、例えば、３時間以上（例えば、４時間）殺菌装置１を動作させ、続いて３時間未満（例えば、２時間）殺菌装置１を停止する。そして、このサイクルを繰り返す。
【００５２】
また、ドレン水６中での菌の繁殖は、冷房運転または除湿運転停止後に、ドレン配管（図示せず）からの戻り水によってドレン水６の量が増え、ドレン水６の温度が上昇したときに多くなるので、冷房運転または除湿運転停止後も一定時間殺菌装置１を動作させることによってドレン水６を殺菌し続けることで、ドレンパン５内の菌の繁殖を効果的に抑制することができる。
【００５３】
冷房運転または除湿運転停止後の殺菌装置１の連続動作時間は、運転停止後のドレン配管からのドレン水６の戻り水量によるが、通常の天井埋込型空気調和機１００（室内機）においては、３時間以上（一定時間と定義する、例えば、６時間）殺菌装置１によって殺菌を行えば、ドレンパン５内の菌数を２桁以上低減させることができ、ドレンポンプ４を詰まらせるレベルの菌の繁殖を防止することができる。
【００５４】
また、ドレンポンプ４を装備する空気調和機の室内機には、通常ドレン水６の水位を検知するドレン水位センサー８が装備されている場合が多いので、ドレン水位センサー８を利用して、一定水位以上にドレン水６が存在する場合に、殺菌装置１を動作させてもよい。
【００５５】
以上のように、殺菌装置１を設置した天井埋込型空気調和機１００において、ドレン水６中で殺菌装置１により放電を起こすようにしているので、ドレンパン５のドレン水６に存在する細菌やカビを死滅させることができる。これにより細菌やカビの粘性によって起こるドレンポンプ４の詰まりを解消することができる。
【００５６】
また、高電圧電極２ａと接地電極２ｂのモールド樹脂２ａ−２，２ｂ−２の一部をボス形状や爪形状の係合部２ａ−４にすることで、電極取り付け部材１２への取り付けを容易にし、他の取り付けのための部材を削減している。
【００５７】
また、冷房運転または除湿運転中は、冷房運転または除湿運転時間に対する殺菌装置１の動作時間の比率が５０％以上となるように、殺菌装置１を動作させることにより、長時間連続で動作させることによる電気代の浪費を抑制し、且つ基板１４の電子部品や放電電極２の長寿命化が図れる。
【００５８】
また、冷房運転または除湿運転停止後も一定時間殺菌装置１を動作させることによってドレン水６を殺菌し続けることで、ドレンパン５内の菌の繁殖を効果的に抑制することができる。
【００５９】
実施の形態２．
以上の実施の形態１では、殺菌装置１の高電圧電極２ａと接地電極２ｂとをドレンポンプ４に取り付けたものであり、天井埋込型空気調和機１００に最初から設置することを前提に考えているが、次に天井埋込型空気調和機１００の外側から後付けで取り付けることを想定した実施の形態２を説明する。
【００６０】
図１０は後付けで放電電極２等を天井埋込型空気調和機１００へ取り付ける方法を示す図である。
【００６１】
図１０に示すように、天井埋込型空気調和機１００の外郭板金９と断熱材１０とからなる筐体２０に、現地で取り付け穴１３を開口し、電極取り付け部材１２で支持された放電電極２を筐体２０の外側から取り付けられるようにしている。
【００６２】
電極設置部材１２は、例えば、筐体２０の外郭板金９にネジ等により固定される。
【００６３】
以上のように、空気調和機を設置した状態で空気調和機の外側から電極を設置できるようにしているので、空気調和機を解体することなく電極の設置が可能で、空気調和機を一定期間使用した後で発生したドレン詰まりに対して、後付けで対応ができる。
【００６４】
実施の形態３．
以上の実施の形態１，２では、高電圧電極２ａと接地電極２ｂを、夫々モールド樹脂２ａ−２，２ｂ−２でモールドした別体の構成としたが、電極の先端のみが沿面距離を確保した上で分離していて、高耐圧電線２ａ−３および電線２ｂ−３側は一体となった構成でもよい。
【００６５】
図１１は高電圧電極２ａと接地電極２ｂとを一体化した放電電極２を示す図である。
【００６６】
図１１に示すように、放電電極２は、高電圧電極２ａの電極２ａ−１及び接地電極２ｂの電極２ｂ−１の周囲が、高耐圧電線２ａ−３及び電線２ｂ−３との接続部も含めて、共通のモールド樹脂２ｃによってモールド成型されている。
【００６７】
電極２ａ−１は、例えば、先端部が水中に露出するが、モールド樹脂２ｃから突出していない。また、電極２ｂ−１は、例えば、先端部が水中に露出する。先端部がモールド樹脂２ｃより数ミリ突出する。
【００６８】
高電圧電極２ａの電極２ａ−１（先端部）及び接地電極２ｂの電極２ｂ−１（先端部）の間の沿面距離Ｌを１０ｍｍ以上確保しておけば、モールド樹脂２ｃ上をトラッキングすることなく水中で放電する。
【００６９】
従って、高電圧電極２ａの電極２ａ−１（先端部）及び接地電極２ｂの電極２ｂ−１（先端部）の間の沿面距離が確保されていれば、高耐圧電線２ａ−３及び電線２ｂ−３側は一体となった構成でもよい。
【００７０】
以上のように、高電圧電極２ａと接地電極２ｂとを一体化したので、部品点数を削減できる。
【図面の簡単な説明】
【００７１】
【図１】実施の形態１を示す図で、天井埋込型空気調和機１００（室内機）を部屋４５の天井に取り付けた状態を部屋４５から見た斜視図。
【図２】実施の形態１を示す図で、天井埋込型空気調和機１００の横断面図。
【図３】実施の形態１を示す図で、天井埋込型空気調和機１００におけるドレンポンプ４等の配置を示す概念図。
【図４】実施の形態１を示す図で、天井埋込型空気調和機１００の縦断面図。
【図５】実施の形態１を示す図で、殺菌装置１を設けたドレンパン５の内部構成を示す構成図。
【図６】実施の形態１を示す図で、ドレンポンプ４及び放電電極２等の筐体２０への固定方法を示す図。
【図７】実施の形態１を示す図で、ドレンポンプ４に放電電極２等が取り付けられた状態を示す斜視図。
【図８】実施の形態１を示す図で、殺菌装置１を示す概略構成図。
【図９】実施の形態１を示す図で、高電圧電極２ａの形状を示す外観図。
【図１０】実施の形態２を示す図で、後付けで放電電極２等を天井埋込型空気調和機１００へ取り付ける方法を示す図。
【図１１】実施の形態３を示す図で、高電圧電極２ａと接地電極２ｂとを一体化した放電電極２を示す図。
【符号の説明】
【００７２】
１  殺菌装置、２  放電電極、２ａ  高電圧電極、２ａ−１  電極、２ａ−２  モールド樹脂、２ａ−３  高耐圧電線、２ａ−４  係合部、２ｂ  接地電極、２ｂ−１  電極、２ｂ−２  モールド樹脂、２ｂ−３  電線、２ｃ  モールド樹脂、３  高電圧電源、４  ドレンポンプ、４ａ  吸込口、５  ドレンパン、６  ドレン水、７  熱交換器、８  ドレン水位センサー、９  外郭板金、１０  断熱材、１１  ドレンポンプ取り付け部材、１１ａ  切り欠き、１２  電極取り付け部材、１３  取り付け穴、１４  基板、２０  筐体、３０  送風機、３０ａ  ファン、３０ｂ  ファンモータ、３８  グリル、４０  本体吹出口、４５  部屋、４７  化粧パネル、４８  吹出口、４９  ベーン、５０  ベルマウス、１００  天井埋込型空気調和機。
【図１】
2010007906.tif 000003
【図２】
2010007906.tif 000004
【図３】
2010007906.tif 000005
【図４】
2010007906.tif 000006
【図５】
2010007906.tif 000007
【図６】
2010007906.tif 000008
【図７】
2010007906.tif 000009
【図８】
2010007906.tif 000010
【図９】
2010007906.tif 000011
【図１０】
2010007906.tif 000012
【図１１】
2010007906.tif 000013